(57)【要約】      （修正有）【課題】縦糸編み機における非伝線弾性質布地製造方法を提供する。【解決手段】硬質糸２の２本の横糸取り棒のうちの１本上と弾性質糸３の残りの横糸取り棒上の事前設置からなると同時に、さらに相互に同調させると同時に、３本の別々の連続した針上に３つの連続編み目が得られる周期性のある４つの編み目を有する織り方に応じた硬質糸２と弾性質糸３の取り合わせからなる２本の横糸取り棒と針棒を有する縦糸/横糸タイプの機織機を利用した編み機上の非伝線弾性質布地の製造法。【選択図】図１ａ
2008169537.tif 000002
【特許請求の範囲】
【請求項１】
２本の糸誘導棒と１本の針棒を有し前記糸誘導棒の１本に硬質糸（２）また前記糸誘導棒のもう１本に弾性質糸（３）を予め準備することからなる縦糸編み機上において、さらに前記硬質糸（２）と前記弾性質糸（３）を相互に同調して、周期性のある４つの編み目を有する編み方に応じて取り合わせて、３つの連続した編み目が３本の別々の連続した針上に得られることを特徴とする非伝線弾性質布地製造方法
【請求項２】
前記硬質糸（２）と前記弾性質糸（３）が相互に平行に設置される請求項１による方法
【請求項３】
前記針が前記針棒にインチ当たり３２針から４４針の間の密度で予め設置される請求項１または請求項２による方法  
【請求項４】
前記針がインチ当たり４０針から４４針の間の密度で前記針棒に予め設置される請求項３による方法
【請求項５】
編み方が開放編み目と閉鎖編み目とが交互になるようもたらされる請求項１による方法
【請求項６】
前記硬質糸（２）が２２dTexから４４dTexの間の線密度で設けられる請求項１による方法
【請求項７】
前記弾性質糸（３）が３３dTexから４４dTexの間の線密度で設けられる請求項１による方法
【請求項８】
前記硬質糸（２）と前記弾性質糸（３）とが０．５から０．９の間の線密度比で設けられる請求項１による方法
【請求項９】
前記糸誘導棒が前面と後面に設定されるとともに、硬質糸（２）が前記前面棒に設定される前記請求項１による方法
【請求項１０】
相互に同調させて配置される硬質糸（２）と弾性質糸（３）が含まれる基本部分から得られる布地であって、前記硬質糸（２）と前記弾性質糸（３）がさらに周期性のある４つの編み目を伴うアトラス編みに合わせて配されることを特徴とする布地
【請求項１１】
前記硬質糸（２）と前記弾性質糸（３）が相互に平行に取り合わせられる請求項１による布地
【請求項１２】
前記硬質糸（２）が２２dTexから４４dTex間の線密度で設けられる請求項１０または請求項１１による布地
【請求項１３】
前記弾性質糸（３）が３３dTexから４４dTex間の線密度で設けられる請求項１０から請求項１２のいずれか１つ以上の請求項による布地
【請求項１４】
前記硬質糸（２）と前記弾性質糸（３）とが０．５から０．９の間の線密度比で設けられる請求項１０から請求項１３のいずれか１つ以上の請求項による布地
【発明の詳細な説明】
【技術分野】
【０００１】
本発明の主題は糸誘導棒の１本に硬質糸ならびに他方の糸誘導棒に弾性質糸を事前に用意することからなる２本の糸誘導棒と１本の針棒を有する縦糸編み機における非伝線弾性質布地製造方法である。
【背景技術】
【０００２】
ご存知のとおり、布地は前記糸の相互連結と編み目の形成を可能にする特定の規則的幾何形状により取り合わせられる複数本の糸から製造される。
【０００３】
布地の特徴は従って、糸のタイプによるまた最終的には個別の編み目寸法に応じた編み方の幾何形状によって決定される。
【０００４】
特に、いわゆる非伝線弾性質布地は縦糸といわれる単一方向に展開する織り糸から製造される。
【０００５】
前記布地は複数の異なる種別の糸、特に、ほぼ硬質の糸とほぼ弾性質の糸から構成される。
【０００６】
非伝線弾性質布地は様々な用途、水泳着、スポーツ活動練習用着衣、下着等の特に衣料または衣服に利用される。
【０００７】
ここで触れられる従来の布地は、例えば、トリコット織りとダブルトリコット織りの組み合わせによる弾性質糸と硬質糸の編み方により得られるいわゆる「シャルムーズ」であって、これにより布地の外観に弾力性と高品質感が与えられる。
【０００８】
問題の布地は「横糸取り具」といわれて意図的に設置される穿孔要素の通し穴に挿入されると同時に、糸方向に関して横方向に設置される１列以上の針上に落とす糸の搬送と移動用の装置が含まれる縦糸/横糸機織機を利用して意図的に設計される編み機によって工業的に生産される。
【０００９】
前記の機械が作動する場合、横糸取り具と針は往復動作で移動する一方で、糸は連続運動で移動する。特に、糸は、垂直かつ下降する連続運動を示すとともに、糸をさらに移動させる横糸取り具は、長さ方向かつ横方向の往復運動を呈するとともに、横糸取り具の下方に設定されると同時に横糸取り具によって移動する糸と相互作用する針は往復上下方向運動が示される。
【００１０】
糸とその針廻りの経路の相互作用により、従って、布地は持ち上げられる。従って、編み機を構成する要素の動作のパラメーターの変動によって、特に、横糸取り機の長さ方向運動の設定、また針の規則的運動と不変の糸の連続運動の維持によって布地特性の変動がありうる。
【００１１】
上で引き合いに出された既知の技術ではいくつか大きな欠点が見出される。
【００１２】
特に、損耗と様々な応力に十分強く、非常に緻密で軽い非伝線弾性質布地の製造は不可能であることが分かる。
【００１３】
上記のものは特に比較的大きな寸法の針の必要から由来する様々な欠点が生ずる。
【００１４】
例えば、既知の布地で製造される水泳着は編み目間に浸透しうると同時に布地を通り抜ける砂に対し十分な防護壁が構成されない。さらに、これらは化学剤に対して、特に、水泳プールや水道水に使用されることが多い塩素化合物に対して弱い。
【００１５】
前記布地はさらに厚さが厚いために乾燥時間が長い。
【００１６】
最後に、既知の弾性質布地はその幅および長さ方向の弾力性が不均一であるとともに、「ピリング」すなわち、布地表面の小さな不規則性布地ボールの形成に結びつく物理的現象に対する抵抗性が減少する。
【発明の開示】
【発明が解決しようとする課題】
【００１７】
この状況の中で、これら触れられた欠点をほぼ克服可能な非伝線弾性質布地を工夫することが本発明の底流をなす技術上の仕事である。
【００１８】
前記の技術上の狙いの範囲で、本発明の重要な目的は化学剤や機械応力に高強度の非伝線弾性質布地の製造にある。
【００１９】
本発明のもうひとつの重要な目的は高度に緻密な非伝線弾性質布地を得ることにある。
【００２０】
本発明のさらにもうひとつの目的は単位面積当たりの質量が小さい非伝線弾性質布地を得ることにある。
【００２１】
本発明の最後の小さからぬ目的はいずれの方向にも均一な弾性を示す布地の入手にある。
【００２２】
上記で詳細にされた技術上の狙いと目的は糸誘導棒の１本に硬質糸、また残りの糸誘導棒の１本に弾性質糸の事前準備、相互に同調すると同時に３つの連続した編み目が３本の別々の連続した針上に得られる規則性のある４つの編み目を有する編み方に応じて硬質糸と弾性質糸を取り合わせることからなる２本の糸誘導棒と１本の針棒を有する縦糸編み機上で製作される非伝線弾性質布地によって達成される。
【発明を実施するための最良の形態】
【００２３】
上に列挙された図類が参照される本発明による布地は全体に１で指定される。
【００２４】
これは少なくとも２列の横糸取り具を有する縦糸編み機タイプによって製造される。
【００２５】
この既知タイプの前記編み機は例えば、LIBA Maschinenfabric GmbHという独国会社によってCopcentraの名前で市販されているものである。
【００２６】
前にも言及したように、前記編み機には穿孔された横糸取り具の２本の棒に挿入されると同時に針棒まで搬送される糸の梁上の適切な搬送移動装置が含まれる。
【００２７】
特に、２本の糸誘導棒は前面のものと後面のものとが設置されると同時に、長さ方向と横方向に直線往復運動を伴って移動可能である。
【００２８】
さらに、その１本かつ同一タイプの糸が各糸誘導棒まで搬送される一方で、２本の異なるタイプの糸が２本の異なる棒まで選択されて搬送可能である。
【００２９】
糸はその後、これらにより開閉する編み目が形成されうる針に対応する位置に落ちる。
【００３０】
前記編み機が作動すると、糸誘導棒の長さ方向と横方向往復搬送装置ならびに針の鉛直往復搬送装置によってもたらされる糸の鉛直かつ一定運動の相互作用と同調化により糸の編み方と同時に布地が誕生する。
【００３１】
特に、糸搬送装置の動作、針の往復移動、ならびに糸誘導棒の報復長さ方向移動は織り方のタイプに関係なくほぼ一定に保たれる一方で、糸誘導棒の往復横方向移動は布地タイプに応じて調節される。前記移動により糸がどちらか一方の針の周囲の通過と同時に開放または閉鎖の編み目の形成が実際に可能となる。
【００３２】
布地１は２つの異なるタイプの糸、すなわち、ほぼ硬質の糸２ならびにほぼ弾性質糸３を用いて製造される。
【００３３】
ここで、「ほぼ硬質」と定義される糸は全長の２０％未満の割合の編み目を有する一方、「ほぼ弾性質」として定義される糸は全長の８０％を超える割合の編み目を有する。
【００３４】
硬質糸２は既知のタイプの材料から構成され、例えば、これはポリアミド複繊維糸でありうるかあるいはポリエステル、ポリプロピレンまたはその他の材料から構成されうる。
【００３５】
これは２２dTexと６０dTexの間に含まれるとともに２２dTexと４４dTex間をほぼ越える適当な純度を有する。知られているように、糸の線密度である純度は撚り糸10kmのグラム重量（1dTex=0.1g/km）に相当するdTex単位で測定される。
【００３６】
弾性質糸３は既知タイプの弾性質材料、特に、エラストマーポリマー、例えば、ポリウレタンから構成される。さらにこれは２２dTexと６０dTex間に含まれるかあるいは３３dTexと４４dTexの適度な純度を有する。
【００３７】
さらに、硬質糸２および弾性質糸３のdTexで表される線密度間の比は、０．５から０．９の間程度の値である。
【００３８】
布地１の製造用には糸２および３が上述の編み機に設定される。
【００３９】
特に、硬質糸２は搬送装置上の前面糸誘導棒の通し穴に設置され、前面棒の各横糸取り具を硬質糸２が横切る。
【００４０】
同様にして、弾性質糸３は搬送装置上および後面糸誘導棒の通し穴に設置され、後面の各横糸取り具を弾性質糸３が横切る。
【００４１】
あるいはまた、糸位置の入れ替えと弾性質糸３の前面棒への設置と硬質糸２の後面棒上への設置も可能である。
【００４２】
糸２および糸３は糸誘導棒の往復移動によって決定される織り方に応じて設置される。
【００４３】
例えば、布地１の製造用の２つの好ましい方策が添付図に図解される。
【００４４】
前記諸図には布地１の形成につながる周期的に繰り返される基本図式が模式的に図解されている。
【００４５】
上図にはまた複数の地点も示され、これらの各地点は自身が一時的な位置にある任意の針を表す。これらの針は水平列（以降、「横列という」）ならびに鉛直列（以降、「縦列という」に設置される。縦列は糸と針自身の周期的移動によって実際に定められるのに対して、横列は諸針自身の水平位置状態によって定められ、針の縦列は１本の同一針の周期的な位置状態を表す一方、各横列は複数の別々の諸実際は針を表す。
【００４６】
縦列間の空きスペースはゼロから４までの自然数で数えられると同時に、横糸取り具により糸が取り合わせられる位置を示す。
【００４７】
特に、横糸取り具により閉鎖した編み目が形成されるよう、または非閉鎖経路により開放編み目が形成されるよう糸は針廻りに円形に取り合わせられうる。
【００４８】
布地１は実線で示される硬質糸２と点線で示される弾性質糸３が含まれる基本部分から得られる。
【００４９】
基本部分の２本の糸２および糸３は同調して各横列で取り合わせられ、すなわち、これはが同一針上に取り合わせられる。さらに、糸２および糸３は常に平行に取り合わせられ、すなわち、これらは常に同一の一様経路をたどると同時に、同一針上かつ閉鎖あるいは開放編み目のどちらかの同一タイプの編み目上に構成される。
【００５０】
さらに、２本の糸２および糸３は、３つの連続編み目が別々の針上に得られる４つの編み目の周期性のある編み方に応じて取り合わせられる。「連続」という語は非飛び越し針を意味する。前記編み方はアトラス織りとも言われる。
【００５１】
前記編み方には特に、考えられる４つの編み目の閉鎖あるいは開放編み目が含まれうると同時に、閉鎖編み目はゼロから４つの数まで変動しうるけれども残りの編み目は開放である。
【００５２】
開放編み目と交互の閉鎖編み目が考えられる編み方が図1aから図1c、までに図解されると同時に、特に、閉鎖編み目は３本の針のうちの２本の横方向針上に設定される。
【００５３】
前記編み方は、第１横列の１からゼロまで、第２横列の１から２まで、第３横列の２から３まで、第４横列の２から１までの空間に対応する位置で、述べられた平行な糸２および糸３の取り合わせが可能であるよう平行に生ずる２本の前面および後面の糸誘導棒の動作によって定められる
【００５４】
図2aから図2cまでには開放編み目と交互する閉鎖編み目が考えられるとともに、特に、閉鎖編み目が中央針上に設定される織り方が図解されている。
【００５５】
前記織り方は第１横列のゼロから１まで、第２横列の２から１まで、第３横列の３から２まで、そして第４横列の１から２までの空間に対応する位置における前面および後面の糸誘導棒の平行運動によって定められる。
【００５６】
説明された織り方はさらにインチ（１インチ＝２．５４センチ）当たりの針密度が３２本から４４本でかつ横糸取り具の一様なインチ当たり密度を有する機械上でも製造される。特には、インチ当たりの針密度は４０本から４４本の間がよい。
【００５７】
前記の針と横糸取り具の密度により編み目の大きさそしてつまりは布地の編み目数および編み目の面密度が定められる。この測定装置当たりの針密度は従って布地の基本的特性を迅速に特定するために有用なパラメーターである。
【００５８】
説明された方法は、これを構成する糸の基本部分と編み目の面密度の特性が同一であれば異なるタイプの編み機上でも製造可能である。
【００５９】
本発明は大きな利点を発揮する。
【００６０】
特に、同調させるかあるいは平行に取り合わせられる２本の糸２および糸３が採用される方案は、弾性質糸３が反対方向に同調して作動しないと同時に硬質糸２自身を横断しないことを意味する。
【００６１】
この方案は布地１内部の機械的摩擦のかなりの低減ならびにその結果の２本の糸特に弾性質糸３の長寿命化につながる。
【００６２】
さらに、既知のタイプの布地にある機械摩擦作用は、水中のある種の物質、特に、プールや水道水中にある次亜塩素酸塩ナトリウムの腐食質の化学作用と組み合わさって、従来の布地の劣化に急速につながることが判明した。
【００６３】
その代わり、布地１は機械的損耗が実用上ほとんど無いためまさに次亜塩素酸塩ナトリウムの存在下でも高い強度を維持する。
【００６４】
さらに、その他の重要な利点は糸２および糸３の性質によってもたらされる。実は、織り方の基本部分は水平編み目数に極めて近い多くの鉛直編み目数、つまりはほぼ正方形形状を呈する。
【００６５】
前記特性のおかげで、非常に細い糸を利用した、なかでも前にも述べたように単位面当たりの編み目数の多い布地の製造が可能となる。
【００６６】
指摘された寸法と特性を有すると同時に指示材料から製作される糸２および糸３の選定によりさらなる利点がもたらされる。
【００６７】
上記特性は極めて緻密でかつ軽い布地１の製造につながりうる。
【００６８】
特に、布地１は単位面積当たり質量が160g/m2で、従来のシャルムーズのものよりおよそ５０％未満の0.25ｍｍから0.8ｍｍの間の厚みを有しており、既知タイプの非伝線弾性質布地と同等以上の寿命を伴って製造される。
【００６９】
布地１はさらにその緻密さのおかげでまさに砂に対抗する優秀な防護と強度を可能にする。
【００７０】
実際、布地１を生む編み目の説明された緻密さにより、砂やその他の粒子が布地の編み目間に進入したり、これを通り抜けることが防止される。
【００７１】
特に、いわゆる「砂試験」が布地１で製造された水着について行われた。前記試験は砂面上での水着の激しい使用を実質的に考えていると同時にその中に封じ込められる砂の量を計量している。これらの結果は１から５粒の数値であった。布地１の評価では生じた結果は常に与えられうる最高点数であった。
【００７２】
緻密さ自体によりさらに布地１の迅速な乾燥と快適な触り心地が可能となり、布地１が異質な物体としてではなく第２の皮膚として感じ取られることが判明している。
【００７３】
布地１はさらに、高い発汗性を有すると同時に、つまりは最適な熱放散を可能にする。
【００７４】
布地１はさらに布地の特別な織り方のおかげであらゆる方向に均質な弾性を有する。
【００７５】
最後に、布地１はピリングとカーリング、すなわち、巻き上げ易さや縮み易さに極めて強いことも判明した。実際、ここに挙がられた２つの特性に適切な専用の試験では、布地１は常に優秀な結果を収めた。
【図面の簡単な説明】
【００７６】
さらに本発明の特徴と利点は図面に貼られた図を参照して本発明の好ましい実施例の引き続く詳細説明によってさらに十分に明らかにされる。
【００７７】
【図１ａ】本発明による布地の第１例の基本概要図を示す。
【図１ｂ】図1aに示された布地の製造用に設計された第１糸配置の基本概要図を示す。
【図１ｃ】図1aに示された布地製造用に設計された第２糸配置の基本概要図を示す。
【図２ａ】本発明による布地の第２例の基本概要図を示す。
【図２ｂ】図2aに示された布地の製造用に設計された第１糸配置の基本概要図を示す。
【図２ｃ】図2aに示された布地の製造用に設計された第２糸配置の基本概要図を示す。
【図１ａ】
2008169537.tif 000003
【図１ｂ】
2008169537.tif 000004
【図１ｃ】
2008169537.tif 000005
【図２ａ】
2008169537.tif 000006
【図２ｂ】
2008169537.tif 000007
【図２ｃ】
2008169537.tif 000008
【外国語明細書】
2008169537000001.pdf